(57)【要約】【課題】  種々のサイズの物品に対応でき、物品への衝撃を緩和でき、また梱包包装の設備投資、コスト、時間を少なくでき、部品管理等を容易化すると共にペットボトルの再利用を図る。【解決手段】  底基台１１０と、前記底基台材に着脱自在に取り付けられ、前側壁部を形成する前側部材１３０と、前記底基台材に取り付けられ、後側壁部を形成する後側部材１４０と、前記底基台材に取り付けられ、左右横壁部を形成する２枚の横側部材１６０と、前記底基台上に並べて配置され、気体が密閉された多数の密閉容器からなる緩衝部材１７０と、前記緩衝部材上に配置され物品が載置される載置台とを備えた梱包装置１００において、前記前側部材、後側部材、または横側部材のうち少なくとも１つの部材に配置され、物品１０に接触する接触部を備え、格納状態と、前記接触部が前記物品に接触する張出状態とに形状変更可能とした物品固定部材６００を設けた。【選択図】        図６
2007055673.tif 000002
【特許請求の範囲】
【請求項１】
下部に配置される底基台と、
前記底基台材に着脱自在に取り付けられ、前側壁部を形成する前側部材と、
前記底基台材に取り付けられ、後側壁部を形成する後側部材と、
前記底基台材に取り付けられ、左右横壁部を形成する２枚の横側部材と、
前記底基台上に並べて配置され、気体が密閉された多数の密閉容器からなる緩衝部材と、
前記緩衝部材上に配置され物品が載置される載置台とを備えた梱包装置において、
前記前側部材、後側部材、または横側部材のうち少なくとも１つの部材に配置され、物品に接触する接触部を備えた物品固定部材を備え、前記物品固定部材は、前記各部材を取付基材として、この取付基材に格納される格納状態と、前記接触部が前記物品に接触する張出状態とに形状変更可能であることを特徴とする梱包装置。
【請求項２】
前記物品固定部材は、前記取付部材を固定した多節のリンク装置として構成されることを特徴とする請求項１の梱包装置。
【請求項３】
前記物品固定部材は、前記取付基材に回転可能に支持されるアーム部材を備えることを特徴とする請求項１または２の梱包装置
【請求項４】
前記物品固定部材は、前記取付部材に摺動可能に支持されるアーム部材を備えることを特徴とする請求項１ないし３のいずれかの梱包装置。
【請求項５】
前記物品固定部材は、梱包装置の内側にむけ移動し、前記物品と接触する接触部を備えたことを特徴とする請求項１ないし４のいずれかの梱包装置。
【請求項６】
前記接触部には緩衝部材を備えたことを特徴とする請求項１ないし５のいずれかの梱包装置。
【請求項７】
前記物品固定部材は、前記梱包装置に単数もしくは複数配置され積載された物品の固定を行うことを特徴とする請求項１ないし６のいずれかの梱包装置。
【請求項８】
前記物品固定部材は、前記接触部が所定の位置になったとき前記接触部の位置を固定する固定手段を備えたことを特徴とする請求項１ないし７のいずれかの梱包装置。
【請求項９】
前記固定手段は、固定部材の挿入によってリンクの動きを固定するものであることを特徴とする請求項８の梱包装置。
【請求項１０】
前記固定手段は、リンク間に固定部材を掛け渡すことによりリンクの動きを固定するものであることを特徴とする請求項８の梱包装置。
【請求項１１】
前記物品固定部材は、取付け手段に上下位置調整可能に配置できることを特徴とする請求項できることを特徴とする請求項１ないし１０のいずれかの梱包装置。
【請求項１２】
前記緩衝部材の密閉容器が、中空有底ボトル状で少なくとも一つの開口を有する胴部と、該胴部の開口に対して着脱自在で該開口を塞ぎ得る塞止体とからなることを特徴とする請求項１ないし１１のいずれかの梱包装置。
【請求項１３】
前記密閉容器はペットボトル容器であることを特徴とする請求項１ないし１２のいずれかの梱包装置。
【発明の詳細な説明】
【技術分野】
【０００１】
本発明は梱包装置に係り、特に物品を底基台に載置し、底基台の前後左右に側部材、上部に天井部材を配置した梱包装置に関する。
【背景技術】
【０００２】
複写機、プリンタ、ファクシミリ等の画像形成装置のような製商品のように、運搬時の取扱いに注意を要する物品を、生産工場からユーザーの設置先まで壊したりすることなく運搬することは、製造メーカとしては大きな関心事の一つであり、トラック、鉄道貨車、船等の多くの輸送機関を使用して運搬されることを前提に包装設計がなされるのがごく一般的である。特に、運搬途中での積替え、一時保管等が行われることを前提に、運搬中に物品を毀損しないよう設計することが重要視されている。
【０００３】
現在の物流環境においては、生産された製品、商品を工場から出荷する際には、大別して２通りの輸送経路が考えられる。１つ目は一度倉庫に保管されてからユーザーへ渡される場合、２つ目はメーカから直接ユーザーへ届けられる場合である。いずれにしても、そのユーザーに渡されて設置されるまでの過程で受けるであろうさまざまな外的衝撃、輸送環境から物品を守り、物品の品質を落とすことなくユーザーの手元まで届けることが重要な課題である。すなわち製商品の物流過程においては、トラック等の輸送機関の運搬時に発生する振動や衝撃、各倉庫拠点、作業点で行われる積替え、保管時の荷役作業等において発生する外的ハザード（移動によるイナーシャや傾き等）に対して、製商品の品質を保持し、かつ運搬性及び荷役作業性に対しては有効な機能を有する包装形態を提供すること
が望まれている。
【０００４】
また、一方ペットボトルの素材となるＰＥＴ（ポリエチレンテレフタレート）は、汎用のエンジニアリングプラスティクとして、軽量、耐衝撃性、耐熱性に優れ、工業用、家庭用容器等に多く用いられている。特にペット（ＰＥＴ）ボトルの名で非常に身近な容器として用いられており、５００ｍｌ、３５０ｍｌ、３３０ｍｌ、さらには２００ｍｌ等の容器として生産量が増大している。一方で、プラスチック製廃棄物の問題が年々大きくなっており、ペットボトルについても問題となるところにきている。すなわち廃ペットボトルを廃棄物として焼却すると、焼却後の焼却残灰中に有害物質が残存し得る可能性があることから問題視されている。
【０００５】
またリサイクルの形態として、化学的変化を伴わず、破砕粉砕などしてペレットを作成して原料として再利用するマテリアルリサイクル、ごみ発電などの燃料として再利用するサーマルリサイクル、樹脂を溶解・分解して化学原料に戻して、原料として再利用するケミカルリサイクル等が行われているが、リサイクル率があまり高まっておらず、しかも最終的に廃棄物とする際には上述の問題と同じ点が問題視されている。
【０００６】
さらにリユースと称して、回収したペットボトルを洗浄、再充填して再度利用する例もあるが、洗浄等の手間が面倒であり、現状の利用量では増え続ける廃ペットボトル対策としては不十分なものである。
【０００７】
特許文献１には、被梱包物と外箱との間に配置され、衝撃や押圧力による外力を吸収する梱包用緩衝材であって、梱包用緩衝材は平板の上に円柱状部が平行に複数配置され、被梱包物の大きさに合わせて折り曲げる位置に円柱状部と略平行に平板に設けた第１の折り曲げ溝と、被梱包物の大きさに合わせて折り曲げる位置に円柱状部と略直交してＶ字状の切れ込みを設けた第２の折り曲げ溝とを備え、第１、第２の折り曲げ溝を折り曲げて被梱包物を覆うことによって、被梱包物の各面に少なくとも２本の円柱状部が当接するようにしたものが記載されている。
【０００８】
特許文献２には、複数の凹部を有する薄肉成形プラスチック材の前記凹部にプラスチックボトルの口部が差し込まれて薄肉成形プラスチック材と複数のプラスチックボトルが固定され被梱包部材と箱の間に配置されるように構成したものが記載されている。
【０００９】
特許文献３には、包装用緩衝材は、段ボール箱と物品の間に配置されており、この包装用緩衝材は、紙製シート材と、紙製シート材の折り目の山側がある面のみに取付けられた複数の紙パイプを備え、包装用緩衝材では、紙パイプは、折り目を介して配置された複数のパイプ取付領域に取り付けられているものが記載されている。
【００１０】
特許文献４には、緩衝部材を廃棄処理が簡単でリサイクル性が高い物質で作成したラミネート紙で構成し、緩衝作用の機能をもたせ、緩衝部材を使用する包装体は、容器と物品の隙間に応じて容器の面側面に単体、あるいは連続したブロック状緩衝部材を装着するものが記載されている。
【特許文献１】特開２００２−００２８１３号公報
【特許文献２】特開２００１−３３５０２４号公報
【特許文献３】特開２９９３−２６１１７９号公報
【特許文献４】特開平０９−２６７８６６号公報
【発明の開示】
【発明が解決しようとする課題】
【００１１】
以上のような状況の下、一般的には運搬する物品の形状に合わせた緩衝部材を構成することにより梱包するようにしており、物品ごとに包装材に対する設備投資、設計作業等のコスト及び時間を必要としているのが現状である。また、そのような設計、管理を行うため、部品の種類が増え、それによって部品管理が煩雑になっている。
【００１２】
このため、なるべく少数種のもので形状の異なる物品に対応でき、繰り返し使用できるものであることが望ましい。即ち、物品がユーザーに届けられた後、梱包装置を工場等に戻して繰り返し使用する形態が望まれている。
【００１３】
また、このような場合、物品の形状に合わせた包装形態で梱包されており、そのため、輸送中に物品が移動しないように物品専用に固定部材を設計しなければならず、部品の種類も多数存在することから、組付・管理等に多くの手間がかかる。このため、搬送する物品の形が異なったとしても他の部材を追加することなく物品を固定することができる梱包装置が望まれている。
【００１４】
本発明は、輸送中に起こり得る物品への衝撃を緩和させることはもちろん、上述のような梱包、包装に対する設備投資、コスト、時間を少なくでき、部品管理等も容易化することを可能にする梱包装置を提供することを目的とする。
【００１５】
また、できるだけ廃ペットボトルを廃棄物としない多くの利用法の開発が望まれている点にかんがみ、ペットボトルやこれと類似の形状を有するものを利用した新規な梱包装置を提供するとともに、ペットボトル等を廃棄物としない新規な利用法を提供することを目的とする。
【課題を解決するための手段】
【００１６】
請求項１の発明は、梱包装置において、下部に配置される底基台と、前記底基台材に着脱自在に取り付けられ、前側壁部を形成する前側部材と、前記底基台材に取り付けられ、後側壁部を形成する後側部材と、前記底基台材に取り付けられ、左右横壁部を形成する２枚の横側部材と、前記底基台上に並べて配置され、気体が密閉された多数の密閉容器からなる緩衝部材と、前記緩衝部材上に配置され物品が載置される載置台とを備えた梱包装置において、前記前側部材、後側部材、または横側部材のうち少なくとも１つの部材に配置され、物品に接触する接触部を備えた物品固定部材を備え、前記物品固定部材は、前記各部材を取付基材として、この取付基材に格納される格納状態と、前記接触部が前記物品に接触する張出状態とに形状変更可能である。
【００１７】
請求項２の発明は、請求項１の梱包装置において、前記物品固定部材は、前記取付部材を固定した多節のリンク装置として構成されることを特徴とする。
【００１８】
請求項３の発明は、請求項１または２の梱包装置において、前記物品固定部材は、前記取付基材に回転可能に支持されるアーム部材を備えることを特徴とする。
【００１９】
請求項４の発明は、請求項１ないし３のいずれかの梱包装置において、前記物品固定部材は、前記取付部材に摺動可能に支持されるアーム部材を備えることを特徴とする。
【００２０】
請求項５の発明は、請求項１ないし４のいずれかの梱包装置において、前記物品固定部材は、梱包装置の内側にむけ移動し、前記物品と接触する接触部を備えたことを特徴とする。
【００２１】
請求項６の発明は、請求項１ないし５のいずれかの梱包装置において、前記接触部には緩衝部材を備えたことを特徴とする。
【００２２】
請求項７の発明は、請求項１ないし６のいずれかの梱包装置において、前記物品固定部材は、前記梱包装置に単数もしくは複数配置され積載された物品の固定を行うことを特徴とする。
【００２３】
請求項８の発明は、請求項１ないし７のいずれかの梱包装置において、前記物品固定部材は、前記接触部が所定の位置になったとき前記接触部の位置を固定する固定手段を備えたことを特徴とする。
【００２４】
請求項９の発明は、請求項８の包装置において、前記固定手段は、固定部材の挿入によってリンクの動きを固定する者であることを特徴とする。
【００２５】
請求項１０の発明は、請求項８の梱包装置において、前記固定手段は、リンク間に固定部材を掛け渡すことによりリンクの動きを固定するものであることを特徴とする。
【００２６】
請求項１１の発明は、請求項１ないし１０のいずれかの梱包装置において、前記物品固定部材は、取付け手段に上下位置調整可能に配置できることを特徴とする請求項できることを特徴とする。
【００２７】
請求項１２の発明は、請求項１ないし１１のいずれかの梱包装置において、前記緩衝部材の密閉容器が、中空有底ボトル状で少なくとも一つの開口を有する胴部と、該胴部の開口に対して着脱自在で該開口を塞ぎ得る塞止体とからなることを特徴とする。
【００２８】
請求項１３の発明は、請求項１ないし１２のいずれかの梱包装置において、前記密閉容器はペットボトル容器であることを特徴とする。
【発明の効果】
【００２９】
本発明によれば、大きさ形状が異なる物品にあわせて物品固定部材を張り出して梱包装置内に固定することができる他、梱包装置を繰り返し使用することができ、輸送中に起こり得る物品への衝撃を緩和させることはもちろん、梱包、包装に対する設備投資、コスト、時間を少なくでき、部品管理等も容易化することができる他、できるだけ使用済みペットボトルを廃棄物としないですむことができる。また、本発明によれば、物品の外観形状に捉えられず且つ、かつ繰返し使用することが可能な物品運搬装置の種類も少なくできるという効果を有する。
【発明を実施するための最良の形態】
【００３０】
以下本発明を実施するための最良の形態を、図に示す実施例を参照して説明する。
【実施例１】
【００３１】
以下本発明に係る梱包装置の第1の実施例について説明する。図１は本発明の第１実施例に係る梱包装置の斜視図であり、(ａ)は載置台を持ち上げた状態を示し、（ｂ）は物品を載置した状態を示す、図２は本発明の第１実施例に係る梱包装置の前側部材のロック装置を示す詳細図であり、(ａ)は前側部材の全体斜視図、（ｂ）はロック装置のアンロック状態を示す斜視図、（ｃ）はロック装置のロック状態を示す斜視図、（ｄ）は前側部材の下部拡大斜視図、図３は本発明の第１実施例に係る梱包装置において前側部材を傾斜台にしたときの状態を示す正面図、図４(ａ)、（ｂ）、（ｃ）は本発明の第１実施例に係る梱包装置におけるペットボトルの配置例を示す平面図、図５(ａ)、（ｂ）は本発明の第１実施例に係る梱包装置におけるペットボトルの配置例を示す平面図、図６は実施例に係る梱包装置の物品固定部材を示す斜視図、図７は図６に示した物品固定部材の構成を示す斜視図、図８は物品固定部材の他の例を示す斜視図、図９は物品固定部材の固定手段を示す斜視図、図１０は物品固定部材の固定手段の他の例を示す斜視図である。
【００３２】
なお、以下に説明する実施例においては、被搭載体を複写機とし、緩衝部材をペットボトルとしているが、本発明の被搭載体については振動、衝撃等に対する緩衝を要するものであればどのようなものでもよく、緩衝部材もペットボトルに限らず、同一、類似の構造、作用をなすものであれば種々採用できる。もちろん本発明用の緩衝部材として専用に製作するものとしてもよい。
【００３３】
また緩衝部材として用いるペットボトルには、
（１）炭酸飲料（コーラ、サイダー等）用ボトル
（２）高温充填飲料（果汁入り飲料、スポーツ飲料、お茶類、コーヒー飲料等）用ボトル
（３）充填後殺菌を行う微炭酸飲料（微炭酸入りの果汁飲料や乳性飲料）用ボトル
（４）アセプティック（無菌）充填用ボトル
のように、いくつかの種類があり、また外部形状あるいは断面形状についても丸型、角型（多くは四隅を丸めた形状のものか、四隅をカットするとともに隅部をすべて丸めて変形の八角形としたものである）、丸と角の混合型等があるが、本発明ではこれらのいずれについても採用できる。
【００３４】
なお、炭酸飲料用ボトルは、飲料から発生するガスで内圧が上がっても、それに耐えられるようにした耐圧ボトル等と称されるようにしたものである。また高温充填飲料用ボトルは、炭酸ガスを含まない飲料に使われているボトルで、口部が充填時の熱による変形に耐えられるようにした耐熱ボトル等と称されるものであり、充填後殺菌を行う微炭酸飲料用ボトルは、耐熱と耐圧の両方の性能を併せ持つ耐熱圧ボトルと称されるものであり、アセプティック充填用ボトルは、充填前に内容物とボトルを別々に殺菌し、無菌室内で充填後、殺菌したキャップで密封する方式（アセプティック充填）に用いられるもので、アセプティックボトル等と称されるもので、一般的には全体が透明なものである。
【００３５】
本例に係る梱包装置１００は、図１に示すように、製品１０を梱包するものであり、製品１０には４つのキャスタ１１，１２，１３，１４が取り付けられている。梱包装置１００は底基台１１０と、前記底基台１１０の四隅に立設され、上記底基台１１０の脚部をもなす４本の支柱部材１２１，１２２，１２３，１２４と、前記底基台１１０に着脱自在に取り付けられ、前側壁部を形成する前側部材１３０と、前記底基台１１０に取り付けられ、後側壁部を形成する後側部材１４０と、前記底基台１１０に取り付けられ、右横壁部を形成する横側部材１５０と、左横壁を形成する横側部材１６０と、底基台１１０に並べて配置され、気体が密閉された多数の密閉容器であるペットボトル１７１からなる緩衝部材１７０と、緩衝部材１７０上に配置され物品が載置される載置台１８０とから構成されている。
【００３６】
また本例に係る梱包装置１００は前側部材１３０と支柱部材１２１、支柱部材１２４との間には、前側部材１３０を支柱部材１２１、支柱部材１２４に固定するロック装置１９０が備えられている。
【００３７】
底基台１１０は鋼材からなり、底板材１１１と底基台１１０の四辺に設けられたフレーム材１１２、１１３，１１４，１１５とから構成されている。また、底基台１１０の四隅には角パイプで構成された支柱部材１２１，１２２，１２３，１２４が立設されている。支柱部材１２１，１２２，１２３，１２４の下部は底板材１１１より下に突出し、脚部をなす。これにより、底基台１１０の下側にフォークリフトのフォークを差し込む隙間を形成している。
【００３８】
また、この１１０には上述したペットボトル１７１を複数規則的に配置した緩衝部材１７０を備え、この緩衝部材１７０の上には平板状の載置台１８０を配置している。製品１０はこの載置台１８０上に載置され梱包される。載置台は硬質のゴム製のものが、剛性と適度の弾力性を備えることから好ましい。
【００３９】
本例では、底基台１１０の底板材１１１には１１８前記緩衝部材１７０は図４（ａ）に示すように仕切材１１８が配置され、ペットボトル１７１は、仕切られた底板材１１１状に所定のパターンで一面に配置される。なお、必要に応じて図４（ｂ）に示すように仕切材１１９を複数所定のパターに配置して、ペットボトル１７１を適宜のパターンで離間して配置したり、図４（ｃ）に示すようにペットボトル１７１を上記製品１０のキャスタ１１，１２，１３，１４位置に一致させるようにしてもよい。この際上記例ではペットボトル１７１の容器部１７１ａ、及びキャップ部１７１ｂの配置方向を同一にしている。
【００４０】
図５（ａ）にペットボトル１７１を同一方向に配置した他の例を示している。図５（ｂ）にはペットボトル１７１の容器部１７１ａ、及びキャップ部（１７１ｂ）の配置方向を交互にしたものを示した。ペットボトル１７１の配置方向を交互にしたものにあっては、緩衝部材１７０の弾力性の均一化を図ることができる。
【００４１】
支柱部材１２１と支柱部材１２２との間には右側の横側部材１５０を形成する横桟１５３とこの横桟１５３とフレーム材１１３を連結する２本の縦桟１５１，１５２が設けられている。
【００４２】
また、支柱部材１２２と支柱部材１２３との間には後側部材１４０を形成する横桟１４３とこの横桟１４３とフレーム材１１４を連結する２本の縦桟１４１，１４２が設けられている。
【００４３】
同様に支柱部材１２３と支柱部材１２４との間には左側の横側部材１６０を形成する横桟１６３とこの横桟１６３とフレーム材１１５を連結する２本の縦桟１６１，１６２が設けられている。
【００４４】
前側部材１３０は、板状部材１３１と緩衝部材１３２とで構成されており、図２（ａ）、（ｄ）及び図３に示すように、回動軸１３３を備え、回動して前記底基台に一端を乗せ物品の積み卸しに使用する傾斜台とて使用することができる。なお、図３中符号１９１は、載置台１８０と前側部材１３０の間の隙間上に配置される覆部材を示している。
【００４５】
また、前記前側部材１３０と柱部材１２１，１２４とには、図２(ａ)、（ｂ）、（ｃ）に示すように、前側部材１３０を前記柱部材１２１，１２４に固定するロック装置１９０を備える。本例ではロック装置１９０は、図２(ｂ)、（ｃ）に示すように、ハンドル部材１９１を支持具１９２，１９３で摺動且つ回動可能に支持して、柱部材１２１に設けたロックプレート１９４の孔部に出し入れするものとできる。なお図中１９５はハンドル固定部材、１９６はハンドル部材押し出し用スプリング、１９７はハンドルの把持部を示している。
【００４６】
このようなロック装置１９０により、前側部材１３０を柱部材１２１，１２４に対してアンロック状態（図２（ｂ））、ロック状態（同図（ｃ））とすることができる。
【００４７】
また、本例に係る梱包装置１００には、図６に示す物品固定部材６００、７００を配置するものとしている。この物品固定部材６００、７００は、前記後側部材１４０、横側部材１６０に前記各部材を取付基材として、この取付基材に格納される格納状態と、前記接触部が前記物品に接触する張出状態とに形状変更可能に構成されたものである。
【００４８】
即ち、後側部材１４０側について説明すると、本例に係る物品固定部材６００は、後側部材１４０の各縦桟１４１，１４２の上部に設けられ縦桟１４１，１４２に沿って摺動可能に構成され、上側アーム６０５，６０６を回動可能に支持するたスライダ６０１、６０２と、縦桟１４１，１４２の下部に固定され、接続される下側アーム６０７，６０８を回動可能に支持する回動軸部材６０３、６０４とを備え、上側アーム６０５，６０６と下側アーム６０７，６０８とを回動可能に接続してなる。本例では、物品固定部材６００は縦桟１４１，１４２を固定した１対のスライダクランク連鎖をなす。
【００４９】
そして、本例では、上側アーム６０５，６０６は連結棒６０９で、下側アーム６０７，６０８は連結棒６１０で、上側アーム６０５，６０６と下側アーム６０７，６０８の連結部を連結棒６１１で接合している。
【００５０】
また、本例では、横側部材１６０側に設けた物品固定部材７００も、物品固定部材６００と同様に、スライダ７０１、７０２、回動軸部材７０３、７０４、上側アーム７０５，７０６、下側アーム７０７，７０８、連結棒７０９、７１０，７１１で構成している。
【００５１】
そして、本例では、物品固定部材６００及び物品固定部材７００を張り出した状態で、製品１０に最も近づく連結棒６１１、７１１には、物品への接触部として緩衝部材として弾性体で形成した円筒の緩衝部材６２０，７２０を配置している。
【００５２】
なお、本例に係る物品固定部材６００、７００では、連結棒６１１、７１１を１本としているが、図８に示すように、上側アーム６０５，６０６（７０５，７０６）と下側アーム６０７，６０８（７０７，７０８）の間にさらに１本のアーム６１２，６１３（７１２，７１３）で連結し、このアーム６１２，６１３（７１２，７１３）の間に２本の連結棒６１５，６１６（７１５，７１６）で連結し断面長円形の緩衝部材６３０（７３０）を配置してもよい。この場合緩衝部材６３０（７３０）の平坦な面を製品１０に当接させることができ、製品１０に無理な力が加えることなく製品１０を固定することができる。
【００５３】
また、本例では、物品固定部材６００、７００のスライダ６０１、６０２（７０１，７０２）に固定手段を設けて、縦桟１４１，１４２（１６１，１６２）にその位置を固定するようにしている。即ち、本例では、スライダ６０１、６０２（７０１、７０２）は、縦桟１４１，１４２（１６１，１６２）に沿ってスライドさせることができると共に、所定の高さ位置で固定することができる。これにより、物品固定部材６００、７００は、格納位置と、所定の張り出し位置に設定することができる。
【００５４】
図９は物品固定部材６００の固定段を示す斜視図である。本例では、スライダ６０１を縦桟１４１にスライド可能な筒型部材６４１に上側アーム６０５の取付けフランジ６４２を設けて構成している。本例では、筒型部材６４１にはスライダ固定孔部６４３を開設し、縦桟１４１には、複数の係止孔１４５を形成しており、筒型部材６４１を縦桟１４１の所定個所に移動してスライダ固定孔部６４３と所定位置の係止孔１４５にピン部材６４５を連通することにより、縦桟１４１におけるスライダ６０１の位置を設定する。また、取付けフランジ６４２には上側アーム６０５を回動可能に支持するための係止孔６４６が開設されている。
【００５５】
従って本例に係る梱包装置によれば、梱包する物品の形状、大きさに合わせて物品固定部材を張り出し、接触部を製品に接触させ、固定手段で固定し、物品を梱包装置内で固定することができる。本例では、物品の大きさや形状が様々であっても、物品固定部材の張り出し状態を変更することにより対応することができる。
【００５６】
図１０は物品固定部材６００の固定手段の他の例を示すものである。本例では、物品固定部材６００（７００）の連結棒６０９（７０９）と連結棒６１０（７１０）の間に帯状部材６５０（７５０）を掛け渡している。この帯状部材６５０（７５０）は、連結棒６０９と連結棒６１０が所定寸法以上開かないように両連結棒６０９，６１０（７０９，７１０）を規制する。本例によれば、物品固定部材６００、７００の接触部に製品１０が当接した状態で、物品固定部材６００、７００は張り出し状態を維持して製品１０を固定することができる。
【００５７】
なお、上記の例では、後側部材と横側部材とに物品固定部材を設置する例を示したが、物品固定部材の設置個所はこの２個所に限ることなく、４方側部材のいずれかあるいは複数の部材に取り付けることができる。
【００５８】
以上のように本例に係る梱包装置によれば、物品固定部材で梱包装置内の物品を固定することができるほか、緩衝部材で輸送中に起こり得る物品への衝撃を緩和させることはもちろん、梱包装置を何回でも使用することができ、包装に対する設備投資、コスト、時間を少なくでき、部品管理等も容易化することを可能にすることができる。また、搬送する物品の形が異なったとしても他の部材を追加することなく物品を固定することができる
【００５９】
また、ペットボトルやこれと類似の形状を有するものを利用して載置台を構成できるので、ペットボトル等を廃棄物としないで再利用を図ることができる。
【実施例２】
【００６０】
次に本発明に梱包装置野第２の実施例について説明する。図１１は本発明の第２実施例に係る梱包装置の底基台を示す平面図、図１２は本発明の第２実施例に係る梱包装置の底基台を示す正面図、図１３は本発明の第２実施例に係る梱包装置の底基台を示す側面図、図１４は本発明の第２実施例に係る梱包装置の前側板を示す図であり、（ａ）は正面図、（ｂ）は平面図、図１５は本発明の第２実施例に係る梱包装置の横側板を示す図であり、(ａ)は正面図、（ｂ）は平面図、（ｃ）は側面図、図１６は本発明の第２実施例に係る梱包装置の後側板を示す図であり、（ａ）は背面図、（ｂ）は平面図、図１７は本発明の第２実施例に係る梱包装置の天板部材を示す側面図である。
【００６１】
本例に係る梱包装置２００は、鋼材で構成され、底基台２１０、下部横側部材２３０、上部横側部材２４０、前側部材２５０、後側部材２７０、及び天板部材２８０で構成したものである。また本例では底基台２１０に対して、左右の上部横側部材２４０、前側部材２５０、後側部材２７０、及び天板部材２８０を組立、分解可能に構成している。なお、本例では、載置台及び緩衝部材の構成は上述した第１の実施例のものと同一であるのでその詳細な説明は省略する。
【００６２】
底基台２１０は図１１、図１２，図１３に示すように、方形の板材２１１の４辺にフレーム部材２１２，２１３，２１４，２１５を配置すると共に、板材２１１の下面に補強部材２１７，２１８を井桁上に配置したものである。また、本例では、底基台２１０はその下部に脚部２６１，２６２，２６３を配置し、フォークリフトのフォーク差込部を形成している。なお、図中符号２３６は補強用のコーナープレートを示す。
【００６３】
本例において、柱部材は底基台２１０に配置された下部柱部材２３１，２３２，２３３，２３４と、これらの上側に取り外し可能に設けられる上部横側部材２４０を構成する２組、計４本の上部柱部材２４１，２４２（右側の横側部材を構成する２本の上部柱部材は図面に現れていないので符号は省略する）とから構成される。
【００６４】
また、左右の下部横側部材は、右側の下部横側部材２３０について説明すれば、底基台２１０の下部柱部材２３１，２３２間に設けられた下部横側部材２３０と、取り外し可能な上部横側部材２４０とから構成される。なお、左側横側部材も同様に構成される。
【００６５】
底基台２１０の四隅には角パイプ製の下部柱部材１３１，２３２，２３３，２３４を立設している。上述したように、この下部柱部材１３１，２３２，２３３，２３４は梱包装置２００の四隅に配置される柱部材の下部をなす。
【００６６】
前記下部横側部材２３０は上記下部柱部材２３１，２３２の上端間に設けられた横梁２３３と、横梁２３３とフレーム部材２１３の間に設けられた５本の線状部材２３４とで構成される。なお図１１中２１５は後側部材２７０を取り付ける取付パイプ、２１６は製品１０固定用のベルトを固定するベルト固定部、２３５は上部横側部材２４０の案内プレートを示している。なお、案内プレート２３５は、この底基台２１０を重ねるときの案内の役割をなす。
【００６７】
前側部材２５０は図１４に示すように、方形の板材２５１の４辺に補強部材２５５，２５６を配置し、さらに横方向に２本の補強桟２５７，２５８を配置して構成される。前側部材２５０の下部には、前側部材２５０を回転させて傾斜台として使用するとき、回転の軸となる軸部材２５９が設けられる。また、前側部材２５０の上部には、前側部材２５０を固定するロック装置２９０を備える。本例ではロック装置２９０は、第１の実施例と同様の構造であり、ハンドル部材２９１、支持具２９２，２９３、ハンドル固定部材２９５、ハンドル部材押し出し用スプリング２９６、ハンドルの把持部２９７を備える。
【００６８】
上部横側部材２４０は、図１５に示すように、上部柱部材２４１、２４２間に上段、中段、下段に横桟２４３，２４４、２４５を設け、５本の線状部材２４６を縦方向に配置して構成される。本例では前記上部柱部材２４１、２４２の下部は、前記下部柱部材２３１，２３２ないに挿入され固定され、下部横側部材２３０と共に横側部材を構成する。なお、図１５中符号２４７は後側部材２７０を取り付けるための取付ガイド、２４８は天板部材２８０を取り付けるための取付ガイドを示している。
【００６９】
なお、図１７（ｂ）に示すように、右側の上部横側部材５００には、前記取付ガイド２４８に換え、天板部材を載置するフランジ状の係止段部５０１を設けるものとしている。
【００７０】
後側部材２７０は、図１６(ａ)、（ｂ）に示すように、丸棒を略正方形の環状に形成した枠体２７１に横桟２７２を設け、枠体２７１間の上下方向に５本の線状部材２７３を配置して構成される。なお、符号２７４は、前記上部横側部材２４０の取付ガイド２４７に挿入されるフック部を示している。
【００７１】
また、天板部材２８０は、図１７に示すように、４辺をなす枠体２８１，２８２，２８３，２８４と、相対する枠体間に設けられ格子状に配置される線状部材２８５，２８６からなる。なお本例では枠体２８４には、上部横側部材２４０の取付ガイド２４８に挿入され係合部材２８７を備えている。本例では、天板部材２８０は係合部材２８７を備える側で係合部材２８７を上部横側部材２４０の取付ガイド２４８に係合させ、反対側においては、図１７（ｂ）に示すように、上部横側部材５００に設けられた係止段部５０１に載置される。
【００７２】
本例に係る梱包装置においても、上述した第１実施例と同様の物品固定部材を設置することができる。即ち、本例では、下部横側部材２３０、上部横側部材２４０、前側部材２５０、後側部材２７０のいずれか、あるいは選択した複数の個所に上記第１実施例と同様の物品固定部材を設置することができる。
【００７３】
本例に係る梱包装置によれば、上記実施例１の梱包装置がなす作用効果に加えて製品１０の梱包を解いた状態で、前記底基台２１０から取り外した前側部材２５０、後側部材２７０、上部横側部材２４０、天板部材２８０は前記底基台２１０上に載置できコンパクトな形態とすることができる。
【図面の簡単な説明】
【００７４】
【図１】本発明の第１実施例に係る梱包装置の斜視図であり、(ａ)は載置台を持ち上げた状態を示し、（ｂ）は物品を載置した状態を示す。
【図２】本発明の第１実施例に係る梱包装置の前側部材のロック装置を示す詳細図であり、(ａ)は前側部材の全体斜視図、（ｂ）はロック装置のアンロック状態を示す斜視図、（ｃ）はロック装置のロック状態を示す斜視図、（ｄ）は前側部材の下部拡大斜視図である。
【図３】本発明の第１実施例に係る梱包装置において前側部材を傾斜台にしたときの状態を示す正面図である。
【図４】(ａ)、（ｂ）、（ｃ）は本発明の第１実施例に係る梱包装置におけるペットボトルの配置例を示す平面図である。
【図５】(ａ)、（ｂ）は本発明の第１実施例に係る梱包装置におけるペットボトルの配置例を示す平面図である。
【図６】実施例に係る梱包装置の物品固定部材を示す斜視図である。
【図７】図６に示した物品固定部材の構成を示す斜視図である。
【図８】物品固定部材の他の例を示す斜視図である。
【図９】物品固定部材の固定手段を示す斜視図である。
【図１０】物品固定部材の固定手段の他の例を示す斜視図である。
【図１１】本発明の第２実施例に係る梱包装置の底基台を示す平面図である。
【図１２】本発明の第２実施例に係る梱包装置の底基台を示す正面図である。
【図１３】本発明の第２実施例に係る梱包装置の底基台を示す側面図である。
【図１４】本発明の第２実施例に係る梱包装置の前側板を示す図であり、（ａ）は正面図、（ｂ）は平面図である。
【図１５】本発明の第２実施例に係る梱包装置の横側板を示す図であり、(ａ)は正面図、（ｂ）は平面図、（ｃ）は側面図である。
【図１６】本発明の第２実施例に係る梱包装置の後側板を示す図であり、（ａ）は背面図、（ｂ）は平面図である。
【図１７】本発明の第２実施例に係る梱包装置の天板部材を示す側面図である。
【符号の説明】
【００７５】
１０・・・製品
１１，１２，１３，１４・・・キャスタ
１００・・・梱包装置
１１０・・・底基台
１１１・・・底板材
１１２、１１３，１１４，１１５・・・フレーム材
１１８・・・仕切材
１１９・・・仕切材
１２１，１２２，１２３，１２４・・・支柱部材
１３０・・・前側部材
１３１・・・板状部材
１３２・・・緩衝部材
１３３・・・回動軸
１４０・・・後側部材
１４１，１４２・・・縦桟
１４３・・・横桟
１５０・・・横側部材
１５１，１５２・・・縦桟
１５３・・・横桟
１６０・・・横側部材
１６１，１６２・・・縦桟
１６３・・・横桟
１７０・・・緩衝部材
１７１・・・ペットボトル
１７１ｂ・・・容器部１７１ａキャップ部
１８０・・・載置台
１９０・・・ロック装置
１９１・・・ハンドル部材
１９２，１９３・・・支持具
１９４・・・ロックプレート
２００・・・梱包装置
２１０・・・底基台
２１１・・・板材
２１２，２１３，２１４，２１５・・・フレーム部材
２１３・・・フレーム部材
２１７，２１８・・・補強部材
２３０・・・下部横側部材
２３１，２３２，２３３，２３４・・・下部柱部材
２３３・・・横梁
２３４・・・線状部材
２３５・・・案内プレート
２４０・・・上部横側部材
２４１、２４２・・・上部柱部材
２４１・・・上部柱部材
２４３，２４４、２４５・・・横桟
２４６・・・線状部材
２４７・・・取付ガイド
２４８・・・取付ガイド
２４９・・・係止段部
２５０・・・前側部材
２５１・・・板材
２５５，２５６・・・補強部材
２５７，２５８・・・補強桟
２５９・・・軸部材
２６１，２６２，２６３・・・脚部
２７０・・・後側部材
２７１・・・枠体
２７２・・・横桟
２７３・・・線状部材
２８０・・・天板部材
２８１，２８２，２８３，２８４・・・枠体
２８４・・・枠体
２８５，２８６・・・線状部材
２８７・・・係合部材
２９０・・・ロック装置
２９１・・・ハンドル部材
２９２，２９３・・・支持具
２９５・・・ハンドル固定部材
２９６・・・ハンドル部材押し出し用スプリング
２９７・・・把持部
６００・・・物品固定部材
６０１、６０２・・・スライダ
６０３、６０４・・・回動軸部材
６０５，６０６・・・上側アーム
６０７，６０８・・・下側アーム
６０９・・・連結棒
６１０・・・連結棒
６１１・・・連結棒
６１２・・・アーム
６１５・・・連結棒
６２０・・・緩衝部材
６３０・・・緩衝部材
６４１・・・筒型部材
６４２・・・取付けフランジ
６４３・・・スライダ固定孔部
６４５・・・ピン部材
６４６・・・係止孔
６５０・・・帯状部材
【図１】
2007055673.tif 000003
【図２】
2007055673.tif 000004
【図３】
2007055673.tif 000005
【図４】
2007055673.tif 000006
【図５】
2007055673.tif 000007
【図６】
2007055673.tif 000008
【図７】
2007055673.tif 000009
【図８】
2007055673.tif 000010
【図９】
2007055673.tif 000011
【図１０】
2007055673.tif 000012
【図１１】
2007055673.tif 000013
【図１２】
2007055673.tif 000014
【図１３】
2007055673.tif 000015
【図１４】
2007055673.tif 000016
【図１５】
2007055673.tif 000017
【図１６】
2007055673.tif 000018
【図１７】
2007055673.tif 000019